(57)【要約】      （修正有）【課題】簡単に結束することができ、解けにくく、かつ、解く必要が有るときは解きやすく、繰り返して使うことができる結束具を提供する。【解決手段】紐の１端を折り返すか、又は紐の両端を結んで、ループを作り、該ループと係合する環状部材を設ける。【選択図】図１
0003175951.tif 000002
【実用新案登録請求の範囲】
【請求項１】
紐の少なくとも１端を折り返してループを作り、
該ループと係合する環状部材を設けたことを特徴とする結束具。
【請求項２】
紐の両端を結んで、ループを作り、
該ループと係合する環状部材を設けたことを特徴とする結束具。
【考案の詳細な説明】
【技術分野】
【０００１】
本考案は、物品を結束するのに使う結束具に関するものである。
【背景技術】
【０００２】
単純な紐を使って物品を結束するとき、固結びすることが多い。固結びは引っ張り負荷がかかっても頑丈で解けにくいが、いざ解くときには大変に困難である。そのため、結び目を解かずに、切って結束を解くことになるので、切断用の刃物を準備しなければならない、また切った後は再利用が難しくゴミになってしまうという欠点が有った。
【０００３】
また従来、例えば実用新案６３−１９００７１に示されているような、樹脂製の結束バンドが有った。これを図５に示す。物品を結束するとき、バンド部４０を係合部４１に挿通するだけで、バンド部４０に形成した凸部４２と係合部４１の爪４３が噛み合って、挿通した方向と反対の方向には動かないので、結束作業が簡単であるので、多用されている。
【０００４】
しかし、結束を解く時には、バンド部を切らないといけないので、通常の紐と同じ問題が有った。
【０００５】
それに対して、繰り返して使える結束具としては、従来、図６に示すような、スーツケース用あるいは書籍用に使われる、１端に２つの環状の金具を備えた結束バンドが有った。
【０００６】
これは、図６に示すように、バンド５０の１端を２つの金具５１および金具５２を通して、逆向きに１つの金具５２を通すことで結束していた。これは、繰り返して使えるという利点が有ったが、端を強く引くと緩むので、緩んではいけない個所の結束には使えないという問題が有った。
【先行技術文献】
【特許文献】
【０００７】
【特許文献１】実用新案公開昭６３−１９００７１号公報
【考案の概要】
【考案が解決しようとする課題】
【０００８】
本考案が解決しようとする課題は、結束することが簡単であり、解けにくく、解く必要が有る時は解きやすく、繰り返して使うことのできる結束具を提供することである。
【課題を解決するための手段】
【０００９】
第１の請求項に示した考案は、
紐の少なくとも１端を折り返してループを作り、
該ループと係合する環状部材を設けたことを特徴とする結束具である。
【００１０】
第２の請求項に示した考案は、
紐の両端を結んで、ループを作り、
該ループと係合する環状部材を設けたことを特徴とする結束具である。
【考案の効果】
【００１１】
本考案は、紐の端に作ったループに、環状部材を係合しただけの簡素な構成であるが、以下に示す結び方を使えば、結束することが簡単であり、解けにくく、解く必要が有る時は解きやすく、繰り返して使うことのできる結束具を実現できる。
【図面の簡単な説明】
【００１２】
【図１】両端に環状部材を有する結束具の見取図
【図２】結束具の結び方の手順を示す図
【図３】一端に環状部材を有する結束具の見取図
【図４】全体がループ状である結束具の見取図
【図５】樹脂製結束バンドの見取図
【図６】書籍用結束バンドの見取図
【考案を実施するための形態】
【実施例１】
【００１３】
結束具は適宜な長さの紐、ロープなどの両端を折り返して、ループを形成し、それぞれのループに環状部材を係合したものである。
【００１４】
図1に、本考案による結束具１の見取図を示す。紐の両端に、それぞれ環状部材１２を通し、それぞれの両端を折り返して、折り返した端を封止部材１３で紐の基の部分に留めることによって、ループ１１が形成されている。
【００１５】
環状部材１２を強く引っ張っても、ループ１１が解けたり、環状部材１２が抜け落ちたりすることはない。
【００１６】
紐またはロープなどの材料は、植物繊維あるいは合成樹脂あるいは金属など、物品を結束するのに通常用いられるものであれば何でも良い。また、図１では巾のある紐が示されているが、縛ることのできるものであれば、断面の形状が、どのようなものであってもかまわない。
【００１７】
環状部材の材料は金属が好適であるが、合成樹脂または紐やロープなどであっても使うことができる。
【００１８】
本考案による結束具を使って、物品を結束する手順を図２に示す。但し、全ての図において、結束対象の物品は、図の煩雑を避けるため省略してある。また図２では、紐は細い線で表しており、また紐同士の前後関係が見易いように、下側の紐は、上側の紐と交差する点で、白抜きにしてある。
【００１９】
まず、図２（ａ）に見られるように、２つの環状部材１２をそれぞれ両手で持って、２つの端を交差させる。図２（ａ）では、右側から左上に伸びる側が、下側になっている。
【００２０】
次に、図２（ｂ）に見られるように、左の手で持っている側を、右の手で持っている側の上側から下側に、１回転する。
【００２１】
次に、図２（ｃ）に見られるように、両方の環状部材１２を指から離してループ１１の先端部から落し、代わりにループ１１の先端部を持つ。そして、左右のループ１１の先端部を持ち替えて、再び交差させる。
【００２２】
次に、図２（ｄ）に見られるように、左の手で持っている側を、右の手で持っている側の上側から下側に、１回転する。この状態で、２つのループ部１１の端を強く引いて結ぶ。
【００２３】
結果的に、いわゆる「固結び」の状態ができ上がる。１重目と２重目の間に環状部材が組込まれた点だけが、通常の「固結び」と異なっている。
【００２４】
結び方の手順は、基本的に通常の「固結び」と同じなので、新しい手順を覚える必要がない。また、固結びは、引っ張りに強く、自然に解けにくい。その特長は、本考案の結束具を使った結び方でも同じである。
【００２５】
この結び目を解きたい時は、結び目に組込まれている２つの環状部材１２を、それぞれ手に持って、お互いを引き離す方向に引けば良い。通常の「固結び」では、解くのは非常に困難であるが、本考案の結束具を使った結び方では、まず２重目が内側から解けるので、容易に結び目を解くことができる。
【００２６】
できあがったときの結び目は、ループ部１１の端が２重になっているので、一見すると蝶々結びのようにみえて、美しい。また紐と環状部材のコントラストも美しい。
【００２７】
これで、簡単に結束することができて、解けにくく、解く必要が有る時は解きやすく、繰り返して使うことのできる結束具を実現できた。
【実施例２】
【００２８】
図３に、本考案による結束具の第２の実施例の見取図を示す。第１の実施例では、紐の両端部に別々にループを作ったが、本実施例では、全体が１つのループである。
【００２９】
図３に見えるように、結束具の全長がループ１１を形成している。このループ１１に、２つの環状部材１２が係合されている。
【００３０】
この実施例の場合の、結束ならびに解く手順は実施例１の場合と全く同じである。また、この実施例の場合の、特長も実施例１の場合と全く同じである。
【実施例３】
【００３１】
図４に、本考案による結束具の第３の実施例の見取図を示す。第１の実施例では、紐の両端部に別々にループを作ったが、本実施例では、紐の片端にだけループ１１が有り、ループ１１に係合している環状部材１２も１つである。
【００３２】
この実施例の場合の、結束ならびに解く手順は実施例１の場合と、以下の点を除いて、基本的には同じである。すなわち、ループ１１をなす一方の端と、ループの無い単純な端を使って、結束を行う。１重目が終わったときに手から離す環状部材１３は、１つだけである。解くときには、１つの環状部材１３だけを引っ張る。
【００３３】
ループ１１が１つしか無いので、その分だけ、短い紐を使用できる。他の特長は実施例１の場合と全く同じである。
【００３４】
また、任意の長さで結束できるという利点もある。例えば、靴紐として使うことに好適である。
【産業上の利用可能性】
【００３５】
日常生活または工業生産の現場で、広く結束用の紐として使うことができる。
【符号の説明】
【００３６】
１  結束具
１１  ループ
１２  環状部
１３  封止部材
２  結束具Ｂ
１１  ループ
１２  環状部
３  結束具Ｃ
１１  ループ
１２  環状部
４０  バンド部
４１  係合部
４２  凸部
４３  爪
５０  バンド
５１  金具
５２  金具
【図１】
0003175951.tif 000003
【図２】
0003175951.tif 000004
【図３】
0003175951.tif 000005
【図４】
0003175951.tif 000006
【図５】
0003175951.tif 000007
【図６】
0003175951.tif 000008